(57)【要約】吊り具組立品（１０）は、支持部材（１２）と、細長い吊り具部材（１４）と、固定装置とを備える。支持部材（１２）は、それを通じて吊り具部材（１４）を収容するための中央アパーチャ（２０）を規定する。吊り具部材（１４）は、ラッチ開口を規定する。固定装置は、支持部材（１２）を吊り具部材（１４）に固定するように吊り具部材（１４）のラッチ開口を通して収容可能なラッチ部材を含む。【選択図】図１
2021532712.tif 000002
【特許請求の範囲】
【請求項１】
支持部材と、細長い吊り具部材と、固定装置とを備える吊り具組立品であって、
前記支持部材は、それを通じて前記吊り具部材を収容するための中央アパーチャを規定し、
前記吊り具部材は、ラッチ開口を規定し、
前記固定装置は、前記支持部材を前記吊り具部材に固定するように前記吊り具部材中の前記ラッチ開口を通して収容可能なラッチ部材を含む、吊り具組立品。
【請求項２】
前記支持部材は、細長い上部を有し、
前記中央アパーチャは、前記上部中に規定され、
前記中央アパーチャは、前記上部の重心を通して伸長し、
前記支持部材は、前記上部から伸長する細長い側部を有し、
前記側部は、前記上部に沿って縦に伸長する、請求項１に記載の吊り具組立品。
【請求項３】
前記支持部材は、前記吊り具部材に沿って互いに間隔を空けた複数の開口を規定し、
前記ラッチ部材は、前記開口のうちの選択された１つを通して収容される、請求項１または２に記載の吊り具組立品。
【請求項４】
前記ラッチ部材は、固定および非固定位置の間で移動可能であり、それにより、前記ラッチ部材の固定位置において、前記吊り具部材は前記支持部材に固定され、
前記ラッチ部材は前記吊り具部材を係合する、請求項１、２または３に記載の吊り具組立品。
【請求項５】
前記ラッチ部材は、担持部と前記担持部上の挿入部とを備えていてもよく、
前記挿入部は、前記吊り上げ部材を前記支持部材に固定するように前記支持部材中の前記開口を通して挿入可能である、請求項１から４のうちのいずれか一項に記載の吊り具組立品。
【請求項６】
請求項４に従属するときに、
前記ラッチ部材が前記固定位置にあるとき、前記挿入部は、前記吊り具部材中の前記開口によって収容され、
前記ラッチ部材が前記非固定位置にあるとき、前記吊り具部材は前記支持部材に対して移動可能であり、前記非固定位置において、前記ラッチ部材は、前記吊り具部材から係合解除される、請求項５に記載の吊り具組立品。
【請求項７】
前記担持部は前記挿入部が伸長する開口を規定し、それにより、前記ラッチ部材が前記非固定位置にあるとき、前記開口は、前記支持部材によって規定される前記中央アパーチャと整列する、請求項５または６に記載の吊り具組立品。
【請求項８】
前記ラッチ部材は、対応するガイド部材を収容し、それにより、前記ラッチ部材の移動をガイドするためのガイド構造を有する、請求項５、６または７に記載の吊り具組立品。
【請求項９】
前記ガイド構造は、前記挿入部に伸長し、
前記ラッチ部材は、前記担持部上に突出部を含み、
前記突出部は、前記挿入部に対向する前記担持部から突出し、
前記ガイド構造は前記担持部から前記突出部に伸長する、請求項８に記載の吊り具組立品。
【請求項１０】
前記ガイド部材は、前記ガイド構造で収容されるガイド突出を備える、請求項８または９に記載の吊り具組立品。
【請求項１１】
前記固定装置は、前記ラッチ部材を係合する弾性付勢部材を備え、
前記弾性付勢部材は、前記ラッチ部材を前記固定位置に付勢するように設けられる、請求項１から１０のうちのいずれか一項に記載の吊り具組立品。
【請求項１２】
前記ラッチ部材は、前記ラッチ部材を前記非固定位置に移動するように、ユーザによって押されるように構成された解放部をさらに含む、請求項１から１１のうちのいずれか一項に記載の吊り具組立品。
【請求項１３】
前記固定装置は、前記支持部材上で前記固定装置を据え付けるための据え付け部品を含み、
前記据え付け部品は、前記ラッチ部材を保持するための保持コンポーネントを備え、
前記保持コンポーネントは、前記吊り具部材を把持するための把持構造を備え、
前記把持構造は、前記支持部材中の前記中央アパーチャと整列する貫通路を規定する、請求項１から１２のうちのいずれか一項に記載の吊り具組立品。
【請求項１４】
前記把持構造は、前記吊り具部材を係合するためのリブを含み、それにより、前記吊り具部材が前記中央アパーチャを通して収容されるとき、前記リブは、前記吊り具部材によってクラッシュされる、請求項１３に記載の吊り具組立品。
【請求項１５】
前記据え付け部品は、前記固定装置を前記支持部材に締結するための締結具をさらに含み、前記締結具は、前記保持コンポーネントを前記支持部材に締結するように、前記保持コンポーネントと前記支持部材を通して伸長する、請求項１３または１４に記載の吊り具組立品。
【請求項１６】
前記保持コンポーネントは、前記締結具が伸長する締結構造をさらに含み、それにより、前記保持コンポーネントを支持体に締結する、請求項１５に記載の吊り具組立品。
【請求項１７】
前記固定装置は、前記保持コンポーネントをカバするためのカバー部材をさらに含み、前記カバー部材は、前記締結具を収容し、前記保持コンポーネントの上方に前記カバー部材を位置付けるための位置付け構造を含む、請求項１５または１６に記載の吊り具組立品。
【請求項１８】
前記吊り具部材、前記支持部材、および前記カバー部材は、金属素材で形成される、請求項１７に記載の吊り具組立品。
【請求項１９】
前記ラッチ部材を前記固定位置にロックするためのロック装置を備え、前記ロック装置は、ロックされている位置とロックされていない位置との間で移動可能であるロック部材を含む、請求項１から１８のうちのいずれか一項に記載の吊り具組立品。
【請求項２０】
前記ラッチ部材が前記固定位置にあり、前記ロック部材が前記ロックされている位置にあるとき、前記ラッチ部材は、前記ロック部材を係合するための協働部を備える、請求項１９に記載の吊り具組立品。
【請求項２１】
前記ロック部材は、複数の側部材と前記側部材間に伸長する横部とを備え、前記側部材のうちの２つは、凹状中間部を有するように互いに対向して構成され、前記ロック部材は、対向する前記凹状中間部間に伸長する一対の対向する位置付け部材を有し、それぞれの戻り止め部材は、凹部のそれぞれから伸長する、請求項１９または２０に記載の吊り具組立品。
【請求項２２】
前記保持コンポーネントは、穴を規定し、それにより、前記ロック部材が前記支持部材上に据え付けられるとき、前記位置付け部材は前記穴に収容され、前記位置付け部材は前記ロック部材を前記アパーチャの上方に位置付け、前記戻り止め部材は、穴の対向する縁部上に引っ掛けられる、請求項２１に記載の吊り具組立品。
【請求項２３】
前記細長い支持部材は、長手方向主軸を有し、前記中央アパーチャは細長く、前記中央アパーチャは長手方向中心軸に平行に伸長する、請求項１から２２のうちのいずれか一項に記載の吊り具組立品。
【請求項２４】
前記吊り具部材は、前記吊り具部材の下部領域が前記吊り具部材の上部領域に対して横方向に伸長する変形状態に変形可能である、請求項１から２３のうちのいずれか一項に記載の吊り具組立品。
【請求項２５】
前記吊り具組立品は、前記吊り具部材の長さに沿って上下に構成された複数の前記支持部材と、複数の前記固定装置とを備える、請求項１から２４のうちのいずれか一項に記載の吊り具組立品。
【発明の詳細な説明】
【技術分野】
【０００１】
本発明は、吊り具組立品に関する。排他的ではないが、より具体的には、本発明は、パイプおよびケーブルトレイのような物品を頭上から吊り下げるための吊り具組立品に関する。
【背景技術】
【０００２】
ねじ切りされた棒に取り付けられたブラケットによって、屋根または天井から、ケーブル導管およびトレイとともにパイプを吊り下げることが知られている。棒は、ある長さに切断され、屋根または天井のアタッチメントにねじ留めされなければならない。ねじ切りされた棒は、ブラケットの開口を通して挿入され、棒にねじ留めされたナットを使用して、ブラケットに取り付けられる。これらのステップの全て、特に棒の切断は、非常に時間がかかることがある。同様に、パイプおよびトレイの設置が、システムを通してこれらを供給することを必要とするという欠点を提供する他の吊り下げシステムが存在する。この場合も、これは時間がかかることがある。
【発明の概要】
【０００３】
本発明の一態様によれば、支持部材と、細長い吊り具部材と、固定装置とを備える吊り具組立品が設けられ、支持部材は、それを通じて吊り具部材を収容するためのアパーチャを規定し、吊り具部材は、ラッチ開口を規定し、固定装置は、支持部材を吊り具部材に固定するように吊り具部材中のラッチ開口を通して収容可能なラッチ部材を含む。
【０００４】
支持体に規定されたアパーチャは、支持部材の中央に規定された中央アパーチャであってもよい。代替的に、支持部材に規定されたアパーチャは、支持部材の一端のより近くに規定されてもよい。
【０００５】
吊り具部材は、支持部材の重心を通って伸長してもよい。支持部材によって規定されるアパーチャは、支持部材の上部に規定されてもよい。上部は細長くてもよい。
【０００６】
支持部材は細長くてもよい。支持部材によって規定されるアパーチャは、上部の重心を通って伸長してもよい。
【０００７】
吊り具組立品は、せいぜい１つの吊り具部材を備えてもよい。支持部材によって規定されるアパーチャは、スロットであってもよい。吊り具組立品は、吊り具部材の長さに沿って上下に構成された複数の支持部材を備えてもよい。吊り具組立品は、複数の固定装置を含んでもよく、各固定装置は、支持部材のそれぞれ１つに設けられる。各固定装置は、それぞれのラッチ部材を含んでもよい。
【０００８】
そのまたは各支持部材は、それを通して吊り具部材を収容するためのせいぜい１つのアパーチャを規定してもよい。
【０００９】
そのまたは各支持部材は、上部から伸長する側部を有してもよい。側部は、上部から下に伸長してもよい。側部は細長くてもよく、上部に沿って伸張してもよい。
【００１０】
そのまたは各支持部材は、上部から伸長する対向する側部を備えてもよい。側部は、上部から下に伸長してもよい。側部のそれぞれは細長くてもよく、上部に沿って伸張してもよい。支持部材は、実質的にＵ字形の端部プロフィールを有してよい。
【００１１】
使用時に、そのまたは各支持部材は、細長い物品であってもよい物品を支持してもよい。細長い物品は、例えば、パイプまたはケーブルトレイであってもよい。物品は、吊り具組立品から隣接する吊り具組立品まで伸長してもよい。
【００１２】
使用時に、そのまたは各支持部材は、前記物品のうちの２つを支持してもよく、各物品は、支持部材のそれぞれの対向する端部領域上に構成される。吊り具部材は、物品間で支持部材から伸長してもよい。
【００１３】
吊り具部材に規定されたアパーチャはスロットであってもよい。吊り具部材は、吊り具部材に沿って互いに間隔をあけた複数のアパーチャを規定してもよい。
【００１４】
そのまたは各ラッチ部材は、吊り具部材のアパーチャのうちの選択された１つまたはそれぞれの１つを通して収容されてもよい。吊り具部材に規定されたアパーチャのそれぞれは、スロットであってもよい。
【００１５】
吊り具部材は、細長い実質的に平坦なストリップを備えていてもよい。実質的に平坦なストリップは、ストラップを備えていてもよい。
【００１６】
そのまたは各固定装置は、そのまたはそれぞれの支持部材上に設けられてもよい。そのまたは各固定装置は、そのまたはそれぞれの支持部材の中央に取り付けられてもよい。固定装置は、ラッチ装置を備えていてよい。ラッチ部材は、固定位置と非固定位置との間で移動可能であってもよい。
【００１７】
ラッチ部材の固定位置において、吊り具部材は支持部材に固定されてもよい。前記固定位置において、ラッチ部材は吊り具部材と係合することができる。非固定位置では、支持部材は吊り具部材から解放されてもよい。
【００１８】
ラッチ部材は、担持部を備えていてよい。ラッチ部材は、担持部上に挿入部を備えていてよい。挿入部は、吊り具部材を支持部材に固定するために、吊り具部材のアパーチャを通して挿入可能であってもよい。前記固定位置において、挿入部は、吊り具部材のアパーチャによって収容されてもよい。
【００１９】
非固定位置において、吊り具部材は、支持部材に対して移動可能であってもよい。非固定位置において、ラッチ部材は、吊り具部材から係合解除されてもよい。ラッチ部材は、固定位置と非固定位置との間で摺動可能に移動可能であってもよい。
【００２０】
固定装置は、ラッチ部材を固定位置に付勢する付勢手段を備えることができる。付勢手段は弾性であってよい。
【００２１】
付勢手段は、ラッチ部材を固定位置に付勢する付勢部材を備えることができる。付勢部材は、ラッチ部材を係合してもよい。付勢部材はばねを備えてもよい。ばねは圧縮ばねであってもよい。
【００２２】
付勢手段は、上述した付勢部材うちの２つを備えることができる。ラッチ部材は、ユーザがラッチ部材を非固定位置に移動させることを可能にする解放部をさらに含むことができる。
【００２３】
そのまたは各支持部材は、ユーザが解放部材にアクセスできるようにするためのアクセス構造を含むことができる。アクセス構造は、側部の一方に規定された凹部であってもよい。
【００２４】
解放部は、ラッチ部材を非固定位置に移動させるためにユーザによって押されるように構成されてもよい。解放部は、解放部材がユーザによって押されてラッチ部材を非固定位置に移動させることを可能にするように、アクセス構造にわたって伸長してもよい。
【００２５】
解放部は、担持部に取り付けられてもよい。解放部は、担持部に対して横方向に伸長してもよい。
【００２６】
担持部は、挿入部が伸長してもよい開口を規定してもよい。ラッチ部材が非固定位置にあるとき、開口は、支持部材によって規定された中央アパーチャと整列してもよい。
【００２７】
ラッチ部材は、ラッチ部材の移動をガイドするガイド構造を有することができる。ガイド構造は、担持部によって規定される細長いガイドスロットであってもよい。ガイド構造は、挿入部に伸張してよい。ガイド構造は、対応するガイド部材を収容することができる。ガイド部材は、保持コンポーネントに設けられてもよい。
【００２８】
ガイド部材は、ガイド構造に収容されてもよいガイド突出を備えてもよい。ガイド突出はスナップフックを備えてもよい。
【００２９】
スナップフックは、ガイドスロット内に収容されてもよい。ガイド突出は、保持コンポーネントに設けられてもよい。
【００３０】
ラッチ部材は、担持部上に突出部を含むことができる。突出部は、挿入部の反対側で担持部から突出してもよい。ガイド構造は、担持部から突出部に伸長することができる。
【００３１】
そのまたは各固定装置は、支持部材上に固定装置を据え付けるための据え付け部品を含むことができる。そのまたは各据え付け部品は、ラッチ部材を保持するための保持コンポーネントを備えることができる。
【００３２】
保持コンポーネントは、吊り具部材を把持するための把持構造を備えることができる。把持構造は、支持部材の中央アパーチャと整列した貫通路を規定することができる。
【００３３】
把持構造は、吊り具部材を係合するリブを含むことができる。リブは、吊り具部材が前記中央アパーチャに収容されるときに、吊り具部材によって押しつぶされてもよい。
【００３４】
そのまたは各据え付け部品は、固定装置を支持部材に締結するための締結具をさらに含むことができる。締結具は細長くてもよく、保持コンポーネントを支持部材に締結するために、保持コンポーネントおよび支持部材を通って伸張してもよい。締結具は、ボルトまたはリベットのような金属固定具であってもよい。
【００３５】
保持コンポーネントは、締結具が伸長でき、それによって保持コンポーネントを支持体上に位置付ける締結構造をさらに含むことができる。締結構造は、締結具が保持コンポーネントを支持体に締結することを可能にしてもよい。
【００３６】
そのまたは各据え付け部品は、締結具のうちの２つおよび締結構造のうちの２つを含むことができる。
【００３７】
そのまたは各固定装置は、保持コンポーネントを覆うためのカバー部材をさらに含むことができる。カバー部材は、カバー部材を保持コンポーネントの上方に位置付けるための位置付け構造を含むことができる。
【００３８】
カバー部材は、位置付け構造のうちの２つを含むことができる。そのまたは各締結具は、そのまたは各位置付け構造を通って伸張して、カバー部材を保持コンポーネントの上方に締結することができる。
【００３９】
そのまたは各位置付け構造は、それを通してそのまたはそれぞれの締結具を収容するための位置付けアパーチャを規定してもよい。そのまたは各位置付け構造は、それを通してそのまたはそれぞれの締結具を収容するための位置付けアパーチャのうちの２つを規定してもよい。
【００４０】
カバー部材は、カバー部を備えていてよい。カバー部は、カバー部材の下部であってもよい。位置付け構造は、後方位置付け構造を備えることができる。位置付け構造は、前方位置付け構造を含むことができる。位置付け構造は、一対の前方位置付け構造を備えることができる。
【００４１】
位置付け構造は、カバー部から上に伸長してよい。後方位置付け構造は、下部の後方にわたって伸長することができる。前方位置付け構造は、カバー部の前方角部において上に伸長してもよい。
【００４２】
カバー部材は、それを通して吊り具部材を収容するためのさらなるアパーチャを規定してもよい。カバー部材は、前方および後方位置付け構造に規定された前方および後方位置付けアパーチャを有することができる。
【００４３】
吊り具部材は、金属材料で形成されてもよい。支持部材は、金属材料で形成されてもよい。カバー部材は、金属材料で形成されてもよい。ラッチ部材は金属材料で形成されてもよい。金属材料は、鋼、例えば軟鋼、またはアルミニウムであってもよい。
【００４４】
支持部材によって規定されるアパーチャは、吊り具部材の周りにぴったりはまってもよい。カバー部材のさらなるアパーチャは、吊り具部材の周りにぴったりはまってもよい。
【００４５】
したがって、ここで説明する実施形態では、吊り具部材と支持部材との間で金属接触する金属がある。吊り具部材とカバー部材との間で金属接触する金属もあってもよい。吊り具部材とラッチ部材との間で金属接触する金属もあってもよい。
【００４６】
吊り具部材と、支持部材および少なくともカバー部材との間で金属接触する金属は、保持コンポーネントが故障した場合、例えば火災の場合に、支持部材上の片持ち荷重への支持を提供する効果を有する。
【００４７】
吊り具組立品は、ラッチ部材を固定位置にロックするためのロック装置を備えることができる。ロック装置は、ロック部材を含むことができる。ロック部材は、ロックされている位置とロックされていない位置との間で移動可能であってもよい。
【００４８】
ラッチ部材は、解放部に隣接してもよい協働部を備えてもよい。協働部は、ラッチ部材が固定位置にあり、ロック部材がロックされている位置にあるときに、ロック部材を係合することができる。協働部は、ラグを備えることができる。
【００４９】
ロック部材は、ラッチ部材が非固定位置にあるとき、ロック部材がロックされている位置に向かって移動する場合、ロック部材が協働部を係合するように構成されてもよい。これは、ロック部材がロックされている位置に完全に移動することを防止する効果を有し、ラッチ部材が非固定位置でロックされることを防止するという、ここで説明する実施形態における利点を提供する。
【００５０】
ロック部材は、複数の側部部材を有することができる。ロック部材は、側部部材のうちの４つを有することができる。ロック部材は、側部間に伸長する横部を有してもよい。横部は、実質的に平坦であってもよい。
【００５１】
２つの対向する側部部材はそれぞれ、凹状中間部を有することができる。ロック部材は、一対の対向する位置付け部材を有することができ、これは、対向する凹状中間部の間に伸長することができる。
【００５２】
それぞれの戻り止め部材は、凹部のそれぞれから伸長してもよい。ロック部材が支持部材に据え付けられるとき、位置付け部材は、保持コンポーネントに規定された穴に収容されてもよい。
【００５３】
位置付け部材は、ロック部材をアパーチャの上方に位置付けることができる。
戻り止め部材は、穴の対向する縁部に引っ掛けることができる。
【００５４】
支持部材は細長くてもよい。支持部材によって規定されるアパーチャは細長くてもよい。支持部材は、長手方向主軸を有してもよく、支持部材によって規定されるアパーチャは、前記長手方向主軸に平行に伸長してもよい。
【００５５】
吊り具部材は、吊り具部材の下部領域が吊り具部材の上部領域に対して横方向に伸長する変形状態に変形可能であってもよい。
【００５６】
吊り具部材は、変形状態に変形することができるように、可鍛性材料で形成されてもよい。吊り具部材は、変形状態に変形することができるように金属材料で形成されてもよい。
【００５７】
保持コンポーネントは、ラッチ部材の移動を拘束するための拘束構造を備えてもよい。拘束構造は、保持コンポーネントによって規定される拘束スロットであってもよい。担持部は、保持コンポーネントを通って伸長してもよい。
【００５８】
保持コンポーネントは、担持部を係合する拘束リブをさらに含むことができる。拘束リブおよび拘束スロットは、挿入部が保持コンポーネントを正確に通ることを確実にしてもよい。
【００５９】
本発明の少なくとも１つの実施形態を、添付の図面を参照して、単なる例として説明する。
【図面の簡単な説明】
【００６０】
【図１】図１は、吊り具組立品の上からの正面斜視図である。
【図２】図２は、吊り具組立品の下からの正面斜視図である。
【図３】図３は、吊り具組立品の一部である、支持部材および固定装置の分解図である。
【図４】図４は、組み立てられた支持部材および固定装置の上からの正面斜視図である。
【図５】図５は、組み立てられた支持部材および固定装置の下からの図である。
【図６】図６は、固定位置にあるラッチ部材を示す、固定装置の拡大切り取り正面図である。
【図７】図７は、ラッチ部材が固定位置にある固定装置の背面図である。
【図８】図８は、非固定位置に配置されたラッチ部材を示す、固定装置の拡大切り取り正面図である。
【図９】図９は、ラッチ部材が非固定位置に配置された固定装置の背面図である。
【図１０】図１０は、固定位置に配置されたラッチ部材を示す、支持部材および固定装置の拡大切り取り正面図である。
【図１１】図１１は、非固定位置に配置されたラッチ部材を示す、支持部材および固定装置の拡大断面切り取り正面図である。
【図１２】図１２は、ロック部材の斜視図である。
【図１３】図１３は、ロック部材の側面図である。
【図１４】図１４は、固定装置上のロック装置を示す。
【図１５】図１５は、ロックされている位置にあるロック装置を示す吊り具組立品の拡大切り取り斜視図である。
【図１６】図１６は、ロックされている位置にあるロック装置を示す吊り具組立品のさらなる拡大切り取り斜視図である。
【図１７】図１７は、図１６に示す吊り具組立品の矢印ＸＶＩＩの方向の断面図である。
【図１８】図１８は、ロックされていない位置にあるロック装置を示す吊り具組立品の拡大切り取り斜視図である。
【図１９】図１９は、ロックされていない位置にあるロック装置を示す、吊り具組立品のさらに拡大した切り取り斜視図である。
【図２０】図２０は、図１９に示す吊り具組立品の矢印ＸＸ方向の断面図である。
【図２１】図２１は、固定装置の吊り具部材を示す側断面図である。
【図２２】図２２は、複数の支持部材と吊り具部材とを備える吊り具組立品を示す。
【図２３】図２３は、別の吊り具組立品の上からの正面斜視図である。
【発明を実施するための形態】
【００６１】
図面は、細長い支持部材１２と、細長い吊り具部材１４と、固定装置１５とを備える吊り具組立品１０を示す。
【００６２】
吊り具組立品１０は、パイプまたはケーブルトレイのような物品を、建物の屋根または天井から、または物品が伸長する建物のエリアの上の建物の基礎構造の他の何らかの適切な領域から吊り下げるための吊り下げシステムの一部として使用される。
【００６３】
支持部材１２は、細長い実質的に平坦な上部１６と、上部１６から下に伸長する対向する側部１８とを備える。支持部材１２は、図１および図２に示すように、実質的にＵ字形の端部プロフィールを有する。
【００６４】
支持部材１２は、上部１６に細長い第１のスロット２０の形態のアパーチャを規定する。第１のスロット２０は、支持部材１２の上部１６の中央アパーチャである。第１のスロット２０は、上部１６の重心を通って伸長する。支持部材１２の２つの端部領域１７は、第１のスロット２０から反対方向に伸長する。
【００６５】
第１のスロット２０は、それを通して吊り具部材１４を収容することができる。支持部材１２は、長手方向の主軸Ｘを有する。第１のスロット２０は、前記長手方向主軸Ｘに平行に伸長する。
【００６６】
吊り具部材１４は、細長い主要部２２と、主要部２２に対して横方向に伸長する取付部２４とを有する。図示した実施形態では、取付部２４は主要部２２に対して直角に伸張している。
【００６７】
取付部２４は、締結アパーチャ２６を規定し、それを通して、ねじのような締結具が伸長して、吊り具部材１４を屋根、天井、または建物の基礎構造の他の適切な領域に取り付けることができる。
【００６８】
吊り具部材１４の主要部２２は、主要部２２の下部領域２２Ａが主要部２２の上部領域２２Ｂに対して横方向に伸長する（図２に破線で示す）変形状態に変形可能である。吊り具部材１４は、変形状態に変形することができるように、可鍛性金属材料で形成される。代替的に、所望される場合、下部領域２２Ａを主要部２２の残りの部分から切り離し、それによって除去することができる。
【００６９】
下部領域２２Ａを曲げるまたは除去する代わりに、図２２に示すように、吊り具部材１４を使用して、吊り具部材１４の長さに沿って上下に構成された複数の支持部材１２を吊り下げることができる。
【００７０】
図２２では、さらなる支持部材１２Ａが支持部材１２の上に配置されている。支持部材１２Ａは、それぞれの固定装置１５Ａを有する。支持部材１２Ａおよび固定装置１５Ａは、図２２に概略的に示されているが、これらは、支持部材１２および固定装置１５と同一である。支持部材１２Ａを複数設けることにより、それぞれの支持部材１２、１２Ａに異なる物品を支持させることができる。
【００７１】
吊り具部材１４は、実質的に平坦なストリップの形態であり、ストラップであってもよい。吊り具部材１４は、第２のスロット２８の形態の複数のラッチ開口を規定する。第２のスロット２８のそれぞれは、吊り具部材１４に渡って横方向に伸長する。
【００７２】
（以下に説明するように）吊り具部材１４の主要部２２が第１のスロット２０を通して収容されるとき、第２のスロット２８もまた、支持部材１２の主軸Ｘに平行に伸長する。第２のスロット２８は、吊り具部材１４に沿って長手方向に互いに間隔をあけている。
【００７３】
固定装置１５は、第１のスロット２０が固定装置１５と整列するように支持部材１２の中央に据え付けられている。固定装置１５は、吊り具部材１４と係合し、吊り具部材１４を支持部材１２に固定するラッチ部材３０を含む。ラッチ部材３０の動作については後述する。
【００７４】
固定装置１５は、固定装置１５を支持部材１２に据え付けるための据え付け部品３２をさらに含む。据え付け部品３２は、ラッチ部材３０を保持するための保持コンポーネント３４を備える。
【００７５】
保持コンポーネント３４は、アクリロニトリルブタジエンスチレンのようなプラスチック材料、または他の適切な材料で形成される。
【００７６】
据え付け部品３２は、固定装置１５を支持部材１２に締結するための２つの細長い締結具３６をさらに含む。締結具３６は、ボルトまたはリベットのような金属固定具の形態である。締結具３６は、カバー部材４０を支持部材１２に締結する。締結具３６はまた、保持コンポーネント３４を支持部材１２に締結する。
【００７７】
保持コンポーネント３４は、２つの締結構造３８を含み、それを通して締結具３６が伸長し、保持コンポーネント３４を支持部材１２に締結する。
【００７８】
固定装置１５は、保持コンポーネント３４をカバーするためのカバー部材４０をさらに含む。カバー部材４０は、第３のスロット４４を規定する下部４２を備え、第３のスロット４４を通して吊り具部材１４の主要部２２が伸長することができる。
【００７９】
カバー部材４０は、カバー部材４０を保持コンポーネント３４上に位置付けるための位置付け構造４６を含む。位置付け構造４６は、下部４２の後部にわたって上に伸長する後部位置付け構造４８を含む。
【００８０】
位置付け構造４６はまた、下部４２の前方角部において上に伸長する一対の前方位置付け構造５０を含む。締結具３６は、カバー部材４０の前方および後方位置付け構造４８、５０に規定された位置付けアパーチャ５２を通って伸長し、カバー部材４０を保持コンポーネント３４上に締結する。
【００８１】
ラッチ部材３０は、図６、図７および図１０に示す固定位置と、図８および図９に示す非固定位置との間で摺動可能に移動可能である。
【００８２】
固定位置では、ラッチ部材３０は、吊り具部材１４の主要部２２の第２のスロット２８のうちの選択された１つを通して収容されることによって、吊り具部材１４を係合する。このように収容されるとき、支持部材１２は、吊り具部材１４に対する支持部材１２の所望の位置でラッチ部材３０によって吊り具部材１４に固定される。
【００８３】
支持部材１２は、支持部材１２のそれぞれの対向する端部領域上で前述の物品のうちの２つを支持するように構成される。結果として、物品は、吊り具部材１４のいずれかの側で、支持部材１２上で支持される。
【００８４】
ラッチ部材３０は、担持部５４と、担持部５４上の挿入部５６とを備える。担持部５４は、挿入部５６が伸長する中央開口５８を規定する。
【００８５】
ラッチ部材３０が非固定位置にあるとき、中央開口５８は、支持部材１２によって規定された第１のスロット２０と整列し、それによって、吊り具部材１４が第１のスロット２０およびラッチ部材３０を通して挿入されることを可能にする。
【００８６】
挿入部５６は、吊り具部材１４を支持部材１２に固定するために、吊り具部材１４の選択された第２のスロット２８を通して挿入可能である。したがって、固定位置では、挿入部５６は、吊り具部材１４内の選択された第２のスロット２８内に収容される。
【００８７】
固定装置１５は、ラッチ部材３０を固定位置に付勢するための２つの弾性付勢部材６０をさらに含む。ここで示す実施形態では、付勢部材６０は圧縮ばねの形態であるが、付勢部材６０は、板ばねのような他のタイプのばねであるかもしれないことが理解されるだろう。
【００８８】
ラッチ部材３０は、ユーザがラッチ部材３０を非固定位置に移動させることを可能にする解放部６２をさらに含む。支持部材１２は、ユーザが解放部６２にアクセスできるようにするアクセス構造６３を含む。アクセス構造６３は、側部１８のうちの１つに規定されたアパーチャである。
【００８９】
解放部６２は、ユーザが固定装置１５を吊り具部材１４から解放することを可能にする押しボタンを構成し、それによって、支持部材１２が吊り具部材１４から取り外されるか、または吊り具部材１４に沿って再位置付けされることを可能にする。
【００９０】
解放部６２は、アクセス構造６３にわたって伸長し、解放部６２がユーザによって押されてラッチ部材３０を非固定位置６２に移動させることを可能にする。解放部６２は、担持部５４に取り付けられ、担持部５４に横方向に伸長する。
【００９１】
ラッチ部材３０は、担持部５４上に突出部６４をさらに含んでいる。突出部６４は、挿入部５６の反対側に担持部５４から後方に伸長する。担持部５４は、ガイドスロット６６の形態のガイド構造を規定する。ガイドスロット６６は、突出部６４にわたって挿入部５６から伸長する。
【００９２】
ガイドスロット６６は、ガイド突出６８の形態の対応するガイド部材を収容する。ガイド突出６８は、ガイドスロット６６に収容されるスナップフックの形態である。従って、ラッチ部材３０は、ガイド突出６８上で閉じ、ガイド突出によって所定位置に保持される。
【００９３】
ガイド突出６８は、保持コンポーネント３４に設けられている。ガイド突出６８はガイドスロット６６内に保持され、それによって、ガイドスロット６６はガイド突出６８に対して移動する。したがって、固定位置と非固定位置との間のラッチ部材３０の移動は、ガイド突出６８とガイドスロット６６との間の協働によってガイドされる。
【００９４】
支持部材１２は、ラッチ部材３０が非固定位置にあるときに突出部６４が突出する後部アパーチャ６９を規定する。
【００９５】
保持コンポーネント３４は、吊り具部材１４を把持するための把持構造７０をさらに含む。把持構造７０は、支持部材１２に規定された第１のスロット２０と整列する貫通路７２を規定する。
【００９６】
把持構造７０は、吊り具部材１４と係合するクラッシュリブ７４を含む。クラッシュリブ７４は、プラスチック材料で形成されており、吊り具部材１４が担持部５４の開口５８を介して貫通路７２に収容されるとき、吊り具部材１４によって押しつぶされる。したがって、クラッシュリブ７４は吊り具部材１４を把持する。
【００９７】
吊り具部材１４は、例えば軟鋼のような鋼、またはアルミニウムのような、金属材料から形成される。支持部材１２は、例えば軟鋼のような鋼、またはアルミニウムのような、金属材料から形成される。カバー部材４０も、例えば軟鋼のような鋼、またはアルミニウムのような、金属材料で形成される。
【００９８】
支持部材１２の上部１６の第１のスロット２０は、吊り具部材１４の主要部２２の周りにぴったりはまる。同様に、カバー部材４０の下部４２の第３のスロット４４もまた、吊り具部材１４の主要部２２の周りにぴったりはまる。
【００９９】
結果として、吊り具部材１４と、支持部材１２およびカバー部材４０の両方との間で金属接触する金属がある。これは、保持コンポーネント３４が故障した場合、例えば火災の場合に、支持部材１２上の片持ち荷重、すなわち端部領域１７の一方のみにかかる荷重、または端部領域１７の両方にかかる不均等な荷重を支持する効果を有する。
【０１００】
火災の場合、プラスチックコンポーネントは損なわれるかもしれない。しかしながら、吊り具部材１４、支持部材１２、カバー部材４０、および締結具３６（固定装置１５の分解図については図３を参照）は損なわれず、金属製である。したがって、カバー部材４０は、締結具３６によって支持部材１２上に保持される。
【０１０１】
端部１７の一方が荷重によって下に押され、それによって、支持部材１１４の第１のスロット２０の一方の端部およびカバー部材４０の第３のスロット４４の対向する端部が吊り具部材１４と係合する。第１および第３のスロット２０、４４の端部のこの係合は、支持部材１２が落下するのを防止する。
【０１０２】
ラッチ部材３０は、金属材料で形成され、火災の場合に、支持部材１２上の荷重に提供される支持にも寄与することができる。
【０１０３】
吊り具組立品１０は、ラッチ部材３０を固定位置にロックするためのロック装置７６をさらに含む。ロック装置７６は、ロック部材７８を備えている。
【０１０４】
図１２および図１３は、ロック部材７８を示す。ロック部材７８は、外部９０と位置付け部９２とを備えている。
【０１０５】
外部９０は、側壁９４の形態の複数の側部材を有する。具体的には、図で示したロック部材は、４つの側壁９４を有している。側壁は、２つの対向する長い側壁９４Ａと、２つの対向する短い側壁９４Ｂとを備える。短い側壁９４Ｂは、対向する長い側壁９４Ａの間に伸長する。
【０１０６】
外部９０はまた、リブ９８を有する横部９６を有する。横部９６は、壁９４の間に伸長する。横部９６は実質的に平坦であり、梱包／配送荷重のような、または落下によって引き起こされる横部９６に対する外部荷重の下でロック部材７８が変形するのを防止するのに役立つ。
【０１０７】
対向する長い側壁９４Ａのそれぞれは、凹状中間部１００を有する。位置付け部９２は、凹状中間部１００間に伸長する一対の対向する位置付け部材１０２を有する。
【０１０８】
それぞれの戻り止め部材１０４は、位置付け部材１０２間の凹部１００のそれぞれから伸長する。ロック部材７８が支持部材１２に据え付けられるとき、位置付け部材１０２は、保持部材３４の端部部材１０８に規定されたアパーチャ１０６に収容される。
【０１０９】
位置付け部材１０２は、ロック部材７８をアパーチャ１０６上方に位置付け、戻り止め部材１０４は、アパーチャ１０６の対向する縁部上に引っ掛けられる。したがって、戻り止め部材１０４は、ロック部材７８を支持体１２に固定する。
【０１１０】
ロック部材７８は、図１４、１５、１６および１７に示すロックされている位置と、図１８、１９および２０に示すロックされていない位置との間で移動可能である。
【０１１１】
ラッチ部材３０は、解放部６２に隣接する協働部８０を含む。協働部８０は、端部８０Ａを有し、ラグの形態である。
【０１１２】
図１７に示すように、協働部８０は、ラッチ部材３０が固定位置にあり、ロック部材７８がロックされている位置にあるとき、ロック部材７８の位置付け部９２と一致して構成される。この位置において、ラッチ部材３０は固定位置にロックされる。
【０１１３】
協働部８０は、ラッチ部材３０を固定位置から非固定位置に移動させようとしたときに、位置付け部９２と係合し、それにより、ラッチ部材３０の非固定位置への移動を防止する。
【０１１４】
ロック部材７８が図１８、１９および２０に示すロックされていない位置に移動されるとき、位置付け部９２は協働部８０との整列から外れて移動され、それによって、ラッチ部材３０が非固定位置に移動することを可能にする。
【０１１５】
ラッチ部材３０が非固定位置に配置されるとき、協働部８０の端部８０Ａは、図２０に示すように、ロック部材７８の上に配置される。協働部８０の端部８０Ａは、ロック部材７８がそのロックされている位置に移動するのを防止する。これは、ロック部材７８がラッチ部材３０を非固定位置にロックすることを防止する、上述の実施形態における利点を提供する。したがって、ロック部材７８をロックされている位置に向かって移動させようとした場合、ロック部材７８は端部８０Ａと係合し、そのロックされている位置への移動が防止される。
【０１１６】
保持コンポーネント３４は、ラッチ部材３０の動きを拘束するための拘束構造をさらに規定する。拘束構造は、拘束スロット８２の形態であり、それを通して担持部５４が伸長する。
【０１１７】
挿入部５６が保持コンポーネント３４を正確に貫通して、吊り具部材１４の主要部２２に対して直角に、選択された第２のスロット２８に収容されることを確実にするために、保持コンポーネント３４は、担持部５４を係合する拘束リブ８４をさらに含む。
【０１１８】
したがって、単一の固定装置１５に取り付けられた単一の吊り具部材１４を含む吊り具組立品１０が説明される。これは、ここで説明する実施形態において、より速い設置時間、固定コンポーネントの数の減少、現場でのより少ないコンポーネント、およびより小さい製品サイズという利点を提供する。
【０１１９】
吊り具部材１４の主要部２２によって係合されるクラッシュリブ７４の提供は、吊り具部材１４上の支持部材１２の安定性を確実にする。
【０１２０】
さらに、２つの付勢部材６０を設けることは、保持コンポーネント３４を通るラッチ部材３０の動きを安定させるのに役立つ。
【０１２１】
本発明の範囲から逸脱することなく、さまざまな修正を行うことができる。支持部材１２のみが単一のサイズで示されているが、支持部材１２は、任意の所望の適切な長さを有してもよい。
【０１２２】
第１のスロット２０の形態の中央アパーチャおよび単一の吊り具部材１４は、電気抑制ブラケットシステムへの電気ケーブルの側面荷重設置を可能にするという利点を提供する。これは、支持部材の各端部に吊り具部材を有する従来技術の吊り下げシステムよりも有利である。したがって、従来技術のシステムは、吊り具部材間でシステムを通してケーブルを引っ張ることを必要とする。
例えば、上記の実施形態を使用する設置時間は、従来技術のシステムよりも短い。
【０１２３】
したがって、支持部材１２が物品に片持ち支持を提供するように、パイプおよび他の物品が支持部材１２上に側面から積まれることを可能にする吊り具組立品１０が説明される。
【０１２４】
さらに、吊り具組立品１０は、火災の場合に保護を提供する。このような状況では、プラスチックコンポーネントは燃焼するまたは溶けてなくなるが、金属コンポーネントは残り、物品への継続的な支持を提供する。
【０１２５】
図２３は、概して１１０で示される別の吊り具組立品を示す。吊り具組立品１１０は、支持部材１１２を備える。支持部材１１２は、図１−２２に示す支持部材１２と同様であり、支持部材１２と同じ特徴の多くを含む。支持部材１２の特徴と同じ支持部材１１２の特徴は、同じ参照番号で示されている。
【０１２６】
支持部材１１２は、第１のスロット２０が上部１６の一端に規定されるという点で支持部材１２と異なる。図１２から分かるように、第１のスロット２０は、支持部材１１２の他端よりも一端に近い。片持ち支持部１１４が第１スロット２０から伸張している。
【０１２７】
細長い吊り具部材１４は、第１のスロット２０を通って伸長する。片持ち支持部１１４は、支持部材１２の端部領域１７のうちの１つと同じである。
【０１２８】
吊り具組立品１１０はまた、支持部材１１２に固定装置１５を含む。固定装置１５は、図１から図２２で示す固定装置１５と同一である。図２３に示す固定装置１５の特徴は、図１−２２に示す固定装置１５の特徴と同じであり、同じ参照番号で示されている。
【０１２９】
片持ち支持部１１４に荷重がかけられるとき、片持ち支持部１１４が下に押され、それによって、吊り具部材１４の対向する縁部を第１のスロット２０の端部および第３のスロット４４の端部と係合させる。
【０１３０】
したがって、火災の場合には、プラスチックコンポーネントが損なわれるかもしれない。しかしながら、吊り具部材１４、支持部材１１２、カバー部材４０、および締結具３６（固定装置１５の分解図については図３を参照）は、金属で作られる。したがって、これらのコンポーネントは損なわれず、カバー部材４０は、締結具３６によって支持部材１１２上に保持される。
【０１３１】
片持ち支持部１１４上の荷重の重量は、片持ち支持部１１４を下に押し、それによって、支持部材１１４の第１のスロット２０の一端と、カバー部材４０の第３のスロット４４の対向端とを吊り具部材１４に係合させる。
第１および第３のスロット２０、４４の端部のこの係合は、支持部材１１２が落下することを防止する。
【図１】
2021532712.tif 000003
【図２】
2021532712.tif 000004
【図３】
2021532712.tif 000005
【図４】
2021532712.tif 000006
【図５】
2021532712.tif 000007
【図６】
2021532712.tif 000008
【図７】
2021532712.tif 000009
【図８】
2021532712.tif 000010
【図９】
2021532712.tif 000011
【図１０】
2021532712.tif 000012
【図１１】
2021532712.tif 000013
【図１２】
2021532712.tif 000014
【図１３】
2021532712.tif 000015
【図１４】
2021532712.tif 000016
【図１５】
2021532712.tif 000017
【図１６】
2021532712.tif 000018
【図１７】
2021532712.tif 000019
【図１８】
2021532712.tif 000020
【図１９】
2021532712.tif 000021
【図２０】
2021532712.tif 000022
【図２１】
2021532712.tif 000023
【図２２】
2021532712.tif 000024
【図２３】
2021532712.tif 000025
【国際調査報告】
2021532712.tif 000026
2021532712.tif 000027